(57)【特許請求の範囲】
【請求項１】
ケースに収容されたスイッチの操作軸を回動させる操作レバーの一端に設けられたロックピンにより、前記操作軸の回動を阻止するロックピン固定座を備えた配電用開閉器制御装置の操作レバーロック装置において、
前記ロックピン固定座は、前記ロックピンを係止する係止部と、前記スイッチを固定すると共に前記ロックピン固定座を前記ケースに取り付けるための取付孔を有する取付部とからなり、前記係止部と前記取付部とが一体的に形成されて前記ケースに取り付けられる配電用開閉器制御装置の操作レバーロック装置。
【請求項２】
ロックピン固定座は、一つの部材で形成される請求項１に記載の配電用開閉器制御装置の操作レバーロック装置。
【請求項３】
ロックピン固定座は、空間部のない部材で形成される請求項１又は請求項２に記載の配電用開閉器制御装置の操作レバーロック装置。
【請求項４】
ロックピン固定座は、取付部の厚みを前記係止部よりも小さく形成される請求項１乃至請求項３のいずれかに記載の配電用開閉器制御装置の操作レバーロック装置。
【発明の詳細な説明】
【０００１】
【発明の属する技術分野】
本発明は、配電用開閉器制御装置に取り付ける操作レバーロック装置に関するものである。
【０００２】
【従来の技術】
図３は、例えば、開閉器子局としての配電用開閉器制御装置１を電柱８に取付金具９で取り付けた図であり、配電用開閉器制御装置１には、制御装置７と制御装置７に電気的に接続された動作区分選択用のスイッチ６とが収容され、スイッチ６がケース２の底板の裏側に取り付けられた状態で、操作軸５が底板を貫通して外部に導出されている。この操作軸５には、開閉器の動作区分選択用操作レバー４が取り付けられている。また、配電用開閉器制御装置１には、操作レバー４の誤操作を防ぐ操作レバーロック装置が備えられている。
【０００３】
図４（Ａ）は、図３の配電用開閉器制御装置１の下面図であり、図４（Ｂ）は、その右側面図である。また、図５は、図４のロックピン１１の正面図である。これらの図において、スイッチ６は、ネジ１６でケース２の底板に取り付けられ、操作レバー４は、一端にロックピン１１が設けられ、他端はネジ１３によってスイッチ６の操作軸５に取り付けられ、操作軸５を回動する。ロックピン固定座１２は、コの字形をした板状の台の上にロックピン１１の係止軸１１ｂが挿入される複数の係止孔１４と、操作レバー４が置かれる複数の位置に開閉器の動作区分（例えば、投入、自動、開放）を表示した表示板１０とが備えられ、脚部１２ａの一端がケース２の底板に溶接されている。なお、ロックピン１１及びロックピン固定座１２によって、操作レバーロック装置が構成されている。
【０００４】
上記のロックピン１１は、ボルト軸の外径が、ボルト軸の一端に向かって３段階に順次小さく形成され、ボルト軸の大径部にはネジ１１ａが形成され、中径部には止め輪取付溝１１ｃが形成されて、止め輪１５（例えば、Ｅ形止め輪  ＪＩＳ  Ｂ２８０５）が取り付けられ、小径部には係止軸１１ｂが形成され、この係止軸１１ｂがロックピン固定座１２の係止孔１４に挿入され、操作レバー４の回動を阻止して、スイッチ６の操作軸５の回動を阻止している。止め輪１５は、ロックピン１１が操作レバー４から脱落するのを防止している。
【０００５】
上記のロックピン１１を備えた操作レバー４は、図４に示すように、中央下方に切り換えると「自動状態」に、左斜め下方に切り換えると「投入状態」に、右斜め下方に切り換えると「開放状態」にスイッチ６を切り換え、この図では中央下方（自動状態）の位置に切り換えられロックされている。
【０００６】
上記の中央下方（自動状態）の位置から右斜め下方（開放状態）の位置に操作レバー４を切り換えるには、まず、ロックピン１１を緩めてロックピン１１の係止軸１１ｂをロックピン固定座１２の係止孔１４から完全に抜き、操作レバー４のロックを解除する。次に、操作レバー４を右方向に回転操作して開放状態の位置に移す。さらに、係止軸１１ｂを、開放状態の位置にある係止孔１４に挿入させながらロックピン１１を締め付けて切り換えを完了する。上記の切り換え操作によって、操作レバー４が開放状態の位置にロックされ、スイッチ６の操作軸５の回動を阻止している。
【０００７】
なお、上記の右斜め下方（開放状態）の位置から中央下方（自動状態）の位置に操作レバー４を切り換えるには、上記の操作手順の逆手順で操作を行う。
【０００８】
また、中央下方（自動状態）の位置から左斜め下方（投入状態）の位置に操作レバー４を切り換えるには、まず、ロックピン１１を緩めてロックピン１１の係止軸１１ｂをロックピン固定座１２の係止孔１４から完全に抜き、操作レバー４のロックを解除する。次に、操作レバー４を左方向に回転操作して投入状態の位置に移す。この後、操作レバー４を解放すると、スイッチ６の自動復帰機構によって操作レバー４は、回転操作をする前の自動状態の位置に自動復帰する。上記のように投入状態の位置には、スイッチ６は、停止しないためロック装置が不要となり、ロックピン固定座１２の投入状態の位置には、係止孔１４が備えられていない。
【０００９】
【発明が解決しようとする課題】
図４に示した従来の配電用開閉器制御装置では、スイッチ６をケース２の底板に取り付けるとき、操作レバー４を介してスイッチ６の操作軸５に取り付けられたロックピン１１の係止軸１１ｂと、ロックピン固定座１２の複数の係止孔１４とが係合状態で取り付ける必要があるために、ロックピンの係止位置とスイッチの固定位置とが、定まった相互の位置関係（距離）を維持する必要があるが、ロックピン固定座１２とスイッチ６とが間接的な固定関係にあるため、その相互の位置関係（距離）が崩れて、取り付けられない場合が発生する問題があった。さらに、ロックピン固定座１２は、コの字形をした板状の部材のために無理な外力が加わった場合に変形し、係止孔１４の孔の位置がずれて、ロックピン１１との係合位置からはずれる問題があった。
【００１０】
本発明の目的は、ロックピンが確実に係止されると共に、ロック状態が確実に維持されるロックピン固定座を備えた配電用開閉器制御装置の操作レバーロック装置を提供することにある。
【００１１】
【課題を解決するための手段】
本発明は、ケースに収容されたスイッチの操作軸を回動させる操作レバーの一端に設けられたロックピンにより、操作軸の回動を阻止するロックピン固定座を備えた配電用開閉器制御装置の操作レバーロック装置に係わるものである。
【００１２】
請求項１に記載の発明は、ロックピン固定座は、ロックピンを係止する係止部と、スイッチを固定すると共にロックピン固定座をケースに取り付けるための取付孔を有する取付部とからなり、係止部と取付部とが一体的に形成されてケースに取り付けたものである。
請求項１の発明においては、ロックピンの係止位置とスイッチの固定位置との定まった相互の位置関係（間隔）がロックピン固定座で維持されることになり、ロックピンが確実に係止される。
【００１３】
請求項２に記載の発明は、ロックピン固定座を一つの部材で形成したものである。
請求項２の発明においては、一体化させる作業がなくなり、ロックピン固定座の製作コストが下がる。
【００１４】
請求項３に記載の発明は、ロックピン固定座は、空間部のない部材で形成したものである。
請求項３の発明においては、無理な外力が加わっても変形しないか、又は変形しにくくなり、ロック状態が確実に維持される。
【００１５】
請求項４に記載の発明は、ロックピン固定座は、取付部の厚みを係止部よりも小さく形成したものである。
請求項４の発明においては、ロックピンを係止するのに必要な部分のみを確保しているので、ロックピン固定座の材料が少なくなる。
【００１６】
【発明の実施の形態】
図１は、本発明に係わる配電用開閉器制御装置の一例を示したもので、同図において、図４に示した従来の配電用開閉器制御装置の各部と同等の部分にはそれぞれ同一の符号を付してある。また図２（Ａ）は、図１のロックピン固定座の平面図を示したもので、図２（Ｂ）は、その右側面図を示したものである。
【００１７】
操作レバー４は、図１が示すように、一端にロックピン１１が設けられ、他端はネジ１３によってスイッチ６の操作軸５に取り付けられ、操作軸５を回動する。ロックピン固定座１７は、図２が示すように、板状の取付部１８と、円錐台形状をした複数の係止部１９とで一体成形されている。しかも、空間部のない部材で形成され、また、係止部１９以外の厚みを係止部１９よりも小さく形成されている。取付部１８には、スイッチ６の操作軸５が貫通する操作軸孔１８ａと、ロックピン固定座１７とスイッチ６とをケース２の底板に取り付けるネジ１６が貫通する複数の取付孔１８ｂとが設けられている。係止部１９には、一端にロックピン１１の係止軸１１ｂが挿入される係止孔１９ａが設けられている。なお、ロックピン１１及びロックピン固定座１７によって、操作レバーロック装置が構成されている。
【００１８】
上記のロックピン１１は、ボルト軸の外径が、ボルト軸の一端に向かって３段階に順次小さく形成されて、ボルト軸の大径部には、ネジ１１ａが形成され、中径部には、止め輪取付溝１１ｃが形成されて、止め輪１５（例えば、Ｅ形止め輪ＪＩＳ  Ｂ２８０５）が取り付けられ、小径部には係止軸１１ｂが形成され、この係止軸１１ｂがロックピン固定座１７の係止孔１９ａに挿入され、操作レバー４の回動を阻止して、スイッチ６の操作軸５の回動を阻止している。止め輪１５は、ロックピン１１が操作レバー４から脱落するのを防止している。スイッチ６とロックピン固定座１７とは、ネジ１６で共締めによりケース２の底板に取り付けられている。表示板１０は、操作レバー４が置かれる複数の位置に開閉器の動作区分（例えば、投入、自動、開放）を表示したものであり、ケース２の底板に取り付けられている。
【００１９】
上記のロックピン１１を備えた操作レバー４は、図１に示すように、中央下方に切り換えると「自動状態」に、左斜め下方に切り換えると「投入状態」に、右斜め下方に切り換えると「開放状態」にスイッチ６を切り換え、この図では、中央下方（自動状態）の位置に切り換えられてロックされている。
【００２０】
上記の中央下方（自動状態）の位置から右斜め下方（開放状態）の位置に、操作レバー４を切り換えるには、まず、ロックピン１１を緩めてロックピン１１の係止軸１１ｂをロックピン固定座１７の係止孔１９ａから完全に抜き、操作レバー４のロックを解除する。次に、操作レバー４を右方向に回転操作して開放状態の位置に移す。さらに、係止軸１１ｂを、開放状態の位置にある係止孔１９ａに挿入させながらロックピン１１を締め付けて切り換えを完了する。上記の切り換え操作によって、操作レバー４が開放状態の位置にロックされる。
【００２１】
なお、上記の右斜め下方（開放状態）の位置から中央下方（自動状態）の位置に操作レバー４を切り換えるには、上記の操作手順の逆手順で操作を行う。
【００２２】
また、中央下方（自動状態）の位置から左斜め下方（投入状態）の位置に操作レバー４を切り換えるには、まず、ロックピン１１を緩めてロックピン１１の係止軸１１ｂをロックピン固定座１７の係止孔１９ａから完全に抜き、操作レバー４のロックを解除する。  次に、操作レバー４を左方向に回転操作して投入状態の位置に移す。この後、操作レバー４を解放すると、スイッチ６の自動復帰機構によって操作レバー４は、回転操作をする前の自動状態の位置に自動復帰する。上記のように投入状態の位置には、スイッチ６は、停止しないためロック装置が不要となり、ロックピン固定座１７の投入状態の位置には、係止孔１９ａが取り付けられていない。
【００２３】
上記の例では、スイッチの切り換え数が、投入、自動、開放の３ポジションの場合であるが、本発明は、このポジション数に限定されるものでなく、任意のポジション数でも良い。また、動作区分選択用操作レバーに限らず、同様な機構を持つスイッチの操作レバーに適用しても良い。さらに、固定座１７は、図２に示す形状に限定されるものでなく、係止部１９を矩形状にしても良い。
【００２４】
【発明の効果】
以上のように、請求項１に記載の発明によれば、ロックピン固定座は、ロックピンを係止する係止部と、スイッチを固定すると共にロックピン固定座をケースに取り付けるための取付孔を有する取付部とからなり、係止部と取付部とが一体的に形成されてケースに取り付けたので、ロックピンを確実に係止することができる。
【００２５】
請求項２に記載の発明によれば、ロックピン固定座を一つの部材で形成したので、一体化させる作業がなくなり、ロックピン固定座の製作コストを下げることができる。
【００２６】
請求項３に記載の発明によれば、ロックピン固定座を空間部のない部材で形成したので、ロック状態を確実に維持させることができる。
【００２７】
請求項４に記載の発明によれば、ロックピン固定座は、取付部の厚みを係止部よりも小さく形成したので、ロックピン固定座の材料を少なくすることができる。
【図面の簡単な説明】
【図１】本発明に係わる配電用開閉器制御装置の（Ａ）正面図、（Ｂ）右側面図である。
【図２】図１の固定座の（Ａ）正面図、（Ｂ）右側面図である。
【図３】開閉器子局としての配電用開閉器制御装置の正面断面図である。
【図４】従来の配電用開閉器制御装置の（Ａ）正面図、（Ｂ）右側面図である。
【図５】図４のロックピンの正面図である。
【符号の説明】
１  配電用開閉器制御装置
２  ケース
４  操作レバー
５  操作軸
６  スイッチ
７  制御装置
８  電柱
９  取付金具
１０  表示板
１１  ロックピン
１１ａ  ネジ
１１ｂ  係止軸
１１ｃ  止め輪取付溝
１２  ロックピン固定座
１２ａ  脚部
１３  ネジ
１４  係止孔
１５  止め輪
１６  ネジ
１７  ロックピン固定座
１８  取付部
１８ａ  操作軸孔
１８ｂ  取付孔
１９  係止部
１９ａ  係止孔
【図１】
0004486242.tif 000002
【図２】
0004486242.tif 000003
【図３】
0004486242.tif 000004
【図４】
0004486242.tif 000005
【図５】
0004486242.tif 000006